(57)【要約】【課題】画質の低下を招くことなく、開口率の向上による長寿命化を図ることができる画像表示装置を提供する。【解決手段】画像表示装置であって、画像を構成し且つ格子状に配列された複数絵素に含まれた各画素に各々対応する各信号を受け付けて発光素子を駆動させる画素回路が配列された回路層と、複数色の発光素子が配列され且つ隣接配置された複数色の発光素子を各々含む複数の絵素部が格子状に隣接配置された素子層とを備え、各色の発光素子が格子状に配列され、各絵素部に含まれ且つ隣接する２以上の発光素子の配列方向が、複数の絵素部に含まれ且つ矩形状に隣接配置された４つの絵素部の所定位置を結ぶ四角形のうちの所定の一辺に対し、複数絵素のうちの矩形状に隣接配置された４つの絵素の所定点を結ぶ四角形のうち所定の一辺に対応する一辺と対角線とが成す角度だけ傾けられている。【選択図】図３
2008135333.tif 000002
【特許請求の範囲】
【請求項１】
画像表示装置であって、
画像を構成し且つ格子状に配列された複数の絵素に含まれた各画素にそれぞれ対応する各画素信号を受け付けて発光素子を駆動させる画素回路が画素単位で配列された回路層と、
複数色の発光素子が画素単位で配列され且つ隣接配置された複数色の発光素子をそれぞれ含む複数の絵素部が格子状に隣接配置された素子層と、
を備え、
前記複数色の発光素子に含まれた各色の発光素子がそれぞれ格子状に配列され、
前記各絵素部に含まれ且つ隣接配置された少なくとも２つの発光素子が配列されている方向が、前記複数の絵素部に含まれ且つ矩形状に隣接配置された４つの絵素部の所定位置を結ぶ四角形のうちの所定の一辺に対して、前記画像を構成する複数の絵素のうちの矩形状に隣接配置された４つの絵素の所定点を結ぶ四角形のうち前記所定の一辺に対応する一辺と対角線とが成す角度だけ傾けられたことを特徴とする画像表示装置。
【請求項２】
請求項１に記載の画像表示装置であって、
前記各発光素子が、略六角形状の開口部を有することを特徴とする画像表示装置。
【請求項３】
請求項１に記載の画像表示装置であって、
前記各発光素子が、略五角形状の開口部を有することを特徴とする画像表示装置。
【請求項４】
請求項１から請求項３のいずれかに記載の画像表示装置であって、
前記各絵素部に含まれた複数色の発光素子が、デルタ状に配列されていることを特徴とする画像表示装置。
【発明の詳細な説明】
【技術分野】
【０００１】
本発明は、画像表示装置に関する。
【背景技術】
【０００２】
通常、カラー画像を表示する画像表示装置では、各絵素が複数の異なる色（ＲＧＢ）の画素によって構成されている。
【０００３】
一般的な画像表示装置では、画像の表示単位となる１つの絵素が複数の画素によって構成されている。そして、正方形の１絵素が赤（Ｒ）、緑（Ｇ）、青（Ｂ）の３種類の画素によって構成され、各画素が縦横比が３：１の長方形であるものが最も多く採用されている。
【０００４】
ところで、トップエミッション型のＯＬＥＤ（有機発光ダイオード）を用いた画像表示装置を構成する画素は、トランジスタを含む駆動回路層と、その上の平坦化膜と、平坦化膜上のＯＬＥＤ（すなわち発光素子）を含む発光素子層とで構成されるのが一般的である。そして、駆動回路層と発光素子層はコンタクトホールを介して導通接続されるだけで良いため、駆動回路層の各駆動回路と発光素子層の各画素とが一対一対応していれば良く、形状や位置までが一致しなくても良い（例えば、特許文献１）。
【０００５】
この発光素子は、通常、マスクを用いた蒸着やインクジェットを利用した印刷やレーザーを用いた転写などの手法を用いて形成される。但し、ある画素の発光領域（すなわち開口部）に異なる色のＯＬＥＤがはみ出して形成されると色ずれや輝度低下が生じる一方、発光領域の一部領域にＯＬＥＤが形成されなければ滅点や輝度低下が生じ、何れにしても画質の不良を招く。
【０００６】
このため、蒸着、印刷、転写の位置精度および成膜のぼやけを考慮して、隣接する画素の発光領域の間に十分な隙間を設ける必要がある。しかし、この隙間からは光が発せられないため、画面全体に占める発光領域の比率、すなわち各画素の面積に対する各発光領域の面積の比が小さくなってしまう。
【０００７】
また、一般にＯＬＥＤでは電流に比例した輝度が得られるが、電流密度が小さいほどＯＬＥＤに印加される電圧が低く、画像表示装置の寿命が長くなることが知られている。このため、画像表示装置の長寿命化に対しては、各画素でＯＬＥＤが発光する領域を大きくすることが重要である。
【０００８】
図１７は、最も一般的なストライプ状の画素配列を例示する図である。太線で囲まれたＲＧＢの３画素が１つの略正方形の絵素を構成し、当該絵素が格子状に配列されている。すなわち、略正方形の絵素を左右方向に三等分した各領域が各色の画素の領域となっている。
【０００９】
ここで、縦横方向における絵素の配列周期（絵素ピッチ）をａとすると、各画素は寸法が縦ａ、横ａ／３の長方形のものとなる。
【００１０】
このような画素では、蒸着や印刷や転写の精度（位置精度と成膜のぼやけとを含む）すなわち生じうる最大誤差をｘとすると、ＯＬＥＤの形成の過不足による不具合を回避するためには、各画素の発光領域を縦横それぞれ隣接画素の発光領域から２ｘだけ離す必要がある。このため、１画素の発光領域は、最大で（ａ／３−２ｘ）×（ａ−２ｘ）となる。そして、仮に絵素ピッチが１５０μｍ、蒸着または印刷の精度（すなわち最大誤差）が１５μｍの場合、ｘ＝０．１ａとなり、開口率（１画素中に占める発光領域の割合）は、最大で０．３２となる。したがって、画面上で実際に光を発する部分の面積は最大の場合でも画面全体の面積に対して１／３未満に過ぎず、残りの２／３以上の部分は光を発しない。
【００１１】
一般的なストライプ状の画素配列では、各画素が細長くなるため、画面を占める発光領域の比率が小さくなる。
【００１２】
そこで、上記問題に対して、絵素の寸法に対して発光部の面積を増大させるための技術が提案されている（例えば、特許文献１、２）。
【００１３】
図１８は、特許文献１に係る画素配列を示す図である。太線で囲まれたデルタ状に配置されているＲＧＢの３画素が１つの絵素を構成している。ここで、縦横方向における絵素の配列周期をａとすると、各画素の寸法が縦ａ／２、横２ａ／３となり、上記ストライプ状の画素配列よりも各画素の形状が正方形に近づくため、開口率も高くなる。
【００１４】
このような画素では、ＯＬＥＤの形成の過不足による不具合を回避しつつ、１画素の発光領域としては最大で（２ａ／３−２ｘ）×（ａ／２−２ｘ）のものが得られ、ｘ＝０．１ａであれば、開口率としては最大で０．４２のものが得られる。
【００１５】
図１９は、特許文献２に係る画素配列を示す図である。ここでは、太線で囲まれた相互に横方向に隣接配置されたＲＧＢの３画素が１つの絵素を構成しているが、左右に隣接し合う絵素ごとにＲＧＢの配列が逆転している。このような構成では、絵素を跨いで左右に隣接し合う赤色の２画素または青色の２画素を、１個の蒸着マスクの開口部を介して蒸着することも可能となり、同時に蒸着される２画素間における蒸着のずれを無視することができる。
【００１６】
蒸着では、一般に異なる色を１つの蒸着マスクをずらしつつ蒸着するため、各色の蒸着領域は一定距離だけずらすと正確に重畳し合うようになっていなければならない。したがって、図１９で示した画素配列では蒸着領域の寸法（蒸着領域寸法）は、横ａ／２、縦ａである必要がある。このとき、緑色の１画素、隣り合う赤色の２画素、隣り合う青色の２画素のそれぞれが同じ蒸着領域寸法となる。そして、緑色の１画素の発光領域としては最大で（ａ／２−２ｘ）×（ａ−２ｘ）のものが得られ、ｘ＝０．１ａであれば、開口率としては最大で０．４８のものが得られる。
【００１７】
【特許文献１】特許第３６２０４９０号
【特許文献２】特開２００４−２０７１２６号公報
【発明の開示】
【発明が解決しようとする課題】
【００１８】
しかしながら、特許文献１で提案された構成では、図１８で示したように、縦方向には同じ画素配列の絵素が並ぶが、横方向には一絵素ごとに絵素の向きが上下逆さになるため、同じ色の画素が直線上に並ばない。このため、例えば、図２０で示すように、単色発光（図２０では赤色のみ発光）を行った際、横方向に関しては、発光している画素が一列には並ばず、ジグザグ状に配列される。したがって、例えば、画像上において横方向に沿った輪郭が凸凹状となったり、一般的な動画では被写体や撮影方向が横方向に移動することが多いが、そのような動画における被写体の動きがぎこちないものとなるような不具合を生じてしまう。すなわち画質の低下を招いてしまう。
【００１９】
また、特許文献２で提案された構成では、図１９で示したように、赤色および青色の画素については、同色の画素が離隔される距離が横方向で長くなっている。このため、例えば、図２１で示すように、赤色または青色の単色発光（図２１では赤色のみ発光）を行った際、発光していない縦に沿った領域（黒線）の幅が３ａ／２と太く顕在化してしまう。ここで、絵素の幅がａであることを考慮すると、幅が３ａ／２の黒線は太すぎて画質上容認できない。すなわち画質の低下を招いてしまう。
【００２０】
本発明は、上記課題に鑑みてなされたものであり、画質の低下を招くことなく、開口率の向上による長寿命化を図ることができる画像表示装置を提供することを目的とする。
【課題を解決するための手段】
【００２１】
上記の課題を解決するために、請求項１の発明は、画像表示装置であって、画像を構成し且つ格子状に配列された複数の絵素に含まれた各画素にそれぞれ対応する各画素信号を受け付けて発光素子を駆動させる画素回路が画素単位で配列された回路層と、複数色の発光素子が画素単位で配列され且つ隣接配置された複数色の発光素子をそれぞれ含む複数の絵素部が格子状に隣接配置された素子層とを備え、前記複数色の発光素子に含まれた各色の発光素子がそれぞれ格子状に配列され、前記各絵素部に含まれ且つ隣接配置された少なくとも２つの発光素子が配列されている方向が、前記複数の絵素部に含まれ且つ矩形状に隣接配置された４つの絵素部の所定位置を結ぶ四角形のうちの所定の一辺に対して、前記画像を構成する複数の絵素のうちの矩形状に隣接配置された４つの絵素の所定点を結ぶ四角形のうち前記所定の一辺に対応する一辺と対角線とが成す角度だけ傾けられたことを特徴とする。
【００２２】
また、請求項２の発明は、請求項１に記載の画像表示装置であって、前記各発光素子が、略六角形状の開口部を有することを特徴とする。
【００２３】
また、請求項３の発明は、請求項１に記載の画像表示装置であって、前記各発光素子が、略五角形状の開口部を有することを特徴とする。
【００２４】
また、請求項４の発明は、請求項１から請求項３のいずれかに記載の画像表示装置であって、前記各絵素部に含まれた複数色の発光素子が、デルタ状に配列されていることを特徴とする。
【００２５】
なお、本明細書においては、画像を構成する１点の色を複数色（例えば、ＲＧＢ）の画素によって表現した無体物としての画像領域を「絵素」と称する一方で、画像表示装置において画像を構成する１点の色を再現するために複数色（例えば、ＲＧＢ）の発光素子によって形成された有体物としての領域を「絵素部」と称して、適宜使い分けている。
【発明の効果】
【００２６】
請求項１に記載の発明によれば、絵素部の配列を傾けつつ、絵素部および各色の発光素子の配列を格子状とすることで、画質の低下を招くことなく、開口率の向上による長寿命化を図ることができる。
【００２７】
請求項２に記載の発明によれば、各発光素子の開口部を略六角形状とすることで、開口率を更に向上させることができるため、更なる長寿命化を図ることができる。
【００２８】
請求項３に記載の発明によれば、各発光素子の開口部を略五角形状とすることで、開口率を更に向上させることができるため、更なる長寿命化を図ることができる。
【００２９】
請求項４に記載の発明によれば、各絵素に含まれた複数の発光素子が、デルタ状に配列されることで、１つの絵素部を構成する複数の発光素子がより密集して配置されているため、画像における１点の色を１つの絵素部の発光によって忠実に１つの点の色として再現することができる。すなわち、画質の向上を更に図ることが可能となる。
【発明を実施するための最良の形態】
【００３０】
以下、本発明の実施形態を図面に基づいて説明する。
【００３１】
＜実施形態＞
図１は、本発明の実施形態に係る画像表示装置を含む画像表示システム１の概略構成を例示する図である。
【００３２】
画像表示システム１は、放送局２などから発信される動画や静止画に係る画像信号を携帯電話機１０で受信し、この携帯電話機１０で動画や静止画を再生するシステムである。
【００３３】
なお、放送局２から発信される画像信号に係る動画や静止画としては、図１７で示す絵素および画素配列と同様に、各絵素が複数の画素によって構成されるとともに、複数の絵素が格子状に配列された画像などが挙げられる。つまり、複数の絵素が互いに略直交する複数の行ならびに複数の列上に並べられて、マトリックス状に配置されている。以下では、図１７で示したような絵素および画素配列を有する画像に係る画像信号を携帯電話機１０が受信して画像を再生する例を挙げて説明する。
【００３４】
携帯電話機１０は、表示制御部１００と表示部２００とを備えた携帯可能な電子機器であり、動画をはじめとした各種画像を表示部２００で表示する画像表示装置としても機能する。
【００３５】
表示制御部１００は、携帯電話機１０で受信された画像信号に基づいて、表示部２００における画像表示を制御する部位である。
【００３６】
表示部２００は、例えば、略長方形の輪郭を有する有機ＥＬディスプレイ（organic electroluminescence display）と、表示制御部１００より供給される画素信号や制御信号が入力されるドライバ手段とを備えて構成される部位である。
【００３７】
有機ＥＬディスプレイは、有機材料に電流を流すことで材料自らが発光する自発光型の発光素子を有するディスプレイ（自発光型画像表示装置）である。また有機ＥＬディスプレイは、複数の発光素子が格子状に配列され、各画素に画素信号を供給するためのデータ信号線と、該データ信号線を介して各画素に画素信号を供給するタイミングを制御する走査信号を供給するための走査信号線とを有しており、データ信号線と走査信号線とは互いに略直交するように交差している。
【００３８】
一方、ドライバ手段は、上記データ信号線に電気的に接続され、画素信号を上記データ信号線に供給するタイミングを制御するＸドライバ（データドライバ）と、上記走査信号線に電気的に接続され、走査信号を走査信号線に供給するタイミングを制御するＹドライバ（ラインドライバ）とを備えている。なお本実施形態における携帯電話機１０では、例えば、Ｘドライバは有機ＥＬディスプレイの短辺に沿って配置され、Ｙドライバは有機ＥＬディスプレイの長辺に沿って配置されている。
【００３９】
図２は、有機ＥＬディスプレイの断面構造を例示する断面図である。なお、有機ＥＬディスプレイは、多数の画素（サブピクセル）が配列されているが、図２では、１つの画素に着目して、発光素子である有機ＥＬ素子と当該発光素子の発光を画素ごとに制御する回路（画素回路）を示している。また、ここでは、有機ＥＬディスプレイが、例えば、いわゆるトップエミッションタイプであり、以下では有機ＥＬディスプレイがトップエミッションタイプであるものとして説明する。
【００４０】
図２に示すように、例えば、ガラス基板２０１上に、各種トランジスタを含む画素回路（ここではＴＦＴ回路）が形成された回路層２０２および配線パターン２０３が積層され、当該回路層２０２および配線パターン２０３の上に平坦化膜２０４が積層されている。そして、平坦化膜２０４の上には、アノードおよびカソード電極２０５，２０６の間に有機層２０７が挟持されることで有機ＥＬ素子が構成された素子層２０８が積層されている。また、回路層２０２の画素回路と素子層２０８の有機ＥＬ素子とは、平坦化膜２０４を貫通するようにコンタクト部（接続部）２０９によって導通接続されている。
【００４１】
このように、画素回路が画素単位で配列されており、当該各画素回路が、画像を構成する各画素にそれぞれ対応する各画素信号を受け付けて各発光素子を駆動させる。
【００４２】
図３は、表示部２００の素子層２０８における絵素部ＰＳおよび発光素子ＰＳｒ，ＰＳｇ，ＰＳｂの開口部（画素）の配列を例示する模式図であり、有機ＥＬディスプレイの正面側から見た配列状態を示している。なお、表示部２００には一般に数万から数百万の画素が配列されるが、図３では、画素数を少なくして画素配列が簡易的に示されている。また、赤（Ｒ）緑（Ｇ）青（Ｂ）の各１つの発光素子（すなわち３つの発光素子）によって形成された画像上の一点を表現する部分（図３で太線で囲まれた部分）を「絵素部」と称し、ＲＧＢの各１つの画素（すなわち３つの画素）によって形成された画像上の一点を「絵素」と称する。
【００４３】
図３で示すように、素子層２０８には、Ｒ色の光を発する発光素子ＰＳｒとＧ色の光を発する発光素子ＰＳｇとＢ色の光を発する発光素子ＰＳｂとが多数配列されている。
【００４４】
各発光素子ＰＳｒ，ＰＳｇ，ＰＳｂは、それぞれ輪郭が略長方形の開口部（画素）を有しており、発光素子ＰＳｒ，ＰＳｇ，ＰＳｂは、この順番で、有機ＥＬディスプレイの長方形の輪郭の一辺に対して所定角度だけ傾けられた所定の方向に沿って列を成すように配列されている。図３により説明すれば、各発光素子ＰＳｒ，ＰＳｇ，ＰＳｂは、図３の横方向（Ｘ方向）に沿った辺に対して４５度だけ傾けられた方向（以下、「斜め方向」と称する）に沿って列を成すように配列されている。そして、斜め方向に沿ったＲＧＢ順の画素列（Ａ列、Ｂ列、Ｃ列・・・）が、図３の左上方から右下方に向けて空間順次に敷き詰められるように並べられている。
【００４５】
より詳細には、斜め方向に沿った各画素列では、発光素子ＰＳｒの開口部の長辺と発光素子ＰＳｇの開口部の長辺とが全長に渡って隣接し、発光素子ＰＳｇの開口部の長辺と発光素子ＰＳｂの開口部の長辺とが全長に渡って隣接し、発光素子ＰＳｂの開口部の長辺と発光素子ＰＳｒの開口部の長辺とが全長に渡って隣接している。
【００４６】
なお、ここで言う「所定角度」は、画像表示装置で再生すべき画像を構成する複数の絵素のうちの相互に隣接して矩形状に配置された４つの絵素の所定点、例えば４つの絵素の重心点を結ぶ四角形において、有機ＥＬディスプレイの長方形の輪郭の一辺に対応する一辺（ここでは横方向に沿った一辺）と対角線とが成す角度に対応している。すなわち、本実施形態においては、ある１絵素の重心の位置（基準位置）と当該基準位置から横方向（Ｘ方向）に１絵素分および縦方向（Ｙ方向）に１絵素分だけ進んだ絵素の重心の位置とを結んだ直線と、横方向（Ｘ方向）に沿った直線とが成す角度だけ、絵素部ＰＳの列および画素列が横方向に沿った線に対して傾けられている。
【００４７】
更にシステムにおいて絵素の位置をＸＹアドレスによって特定する観点から見れば、１絵素のアドレス（基準アドレス）と当該基準アドレスから右方向に１絵素分および上方向に１絵素分だけずらしたアドレスとを結んだ直線と横方向（Ｘ方向）に沿った直線とが成す角度だけ、絵素部ＰＳの列および画素列が横方向に沿った線に対して傾けられている。
【００４８】
また、斜め方向に沿ってＲＧＢの順で一列に並んだ３つの発光素子ＰＳｒ，ＰＳｇ，ＰＳｂによって１つの絵素部ＰＳが形成されていることから、結果として絵素部ＰＳの列もＲＧＢの画素列（Ａ列、Ｂ列、Ｃ列・・・）と同様に、斜め方向に沿って空間順次に並べられることとなる。そして、斜め方向に沿った絵素部ＰＳの列（Ａ’列、Ｂ’列、Ｃ列’・・・）が、図３の左上方から右下方に向けて空間順次に敷き詰められるように並べられている。
【００４９】
このように、絵素部ＰＳの列ならびに画素列が有機ＥＬディスプレイの長方形の輪郭の一辺に対して所定角度だけ傾けられているが、複数の絵素部ＰＳの重心の位置は、縦ならびに横方向に沿って等間隔に配列される行ならびに列を形成している。すなわち、図３に示す如く、複数の絵素部ＰＳの重心Ｇｐｓの位置は、縦横比が１：１の格子状（正方格子状）に配列されている。また、複数の発光素子ＰＳｒ，ＰＳｇ，ＰＳｂに含まれている同色の発光素子の重心の位置も正方格子状に配列されている。図３には、発光素子ＰＳｒの重心Ｇｒを例示している。つまり、有機ＥＬディスプレイの長方形の輪郭の縦方向および横方向と平行な線上に沿って、複数の絵素部ＰＳの重心点の位置、および同色の発光素子の重心点の位置が正方格子状に配列されている。
【００５０】
なお、別の観点から言えば、各色の発光素子のうちの相互に隣接して矩形状に配置されている４つの発光素子の所定位置（例えば４つの発光素子の重心の位置）を結ぶ四角形の４辺のうち、上下の横方向の２辺が有機ＥＬディスプレイの長方形の輪郭の横方向に対して平行であり、左右の縦方向の２辺が有機ＥＬディスプレイの長方形の輪郭の縦方向に対して平行である。
【００５１】
ここで、縦横方向における絵素の配列周期（絵素ピッチ）をａとすると、各画素の長辺がａ／√２、短辺が√２ａ／３となる。そして、蒸着や印刷や転写の精度（位置精度と成膜のぼやけとを含む）、すなわち生じうる最大誤差をｘとすると、ＯＬＥＤの形成の過不足による不具合を回避するためには、各画素の発光領域を縦横それぞれ隣接画素の発光領域から２ｘだけ離す必要がある。このため、１画素の発光領域は最大で｛（√２ａ／３）−２ｘ｝×｛（ａ／√２）−２ｘ｝となる。そして、仮に絵素ピッチが１５０μｍ、蒸着または印刷の精度（すなわち最大誤差）が１５μｍの場合、ｘ＝０．１ａとなり、開口率は、最大で０．４１３となる。つまり、図１７で示したストライプ状の画素配列の開口率０．３２よりも開口率が大幅に上昇する。なお、ここでは、図１７で示したストライプ状の画素配列と比較して、各開口部（画素）の形状がより正方形に近づくため、各発光素子ごとの開口率が向上する。なお画素領域の中には、コンタクト部２０９が形成されている部分等、本来、発光しない領域も存在するが、本明細書では画素領域の略全体が発光する単純化した画素を考えるものとする。
【００５２】
ここで、素子層２０８における各発光素子ＰＳｒ，ＰＳｇ，ＰＳｂと、回路層２０２における各画素回路ＭＳｒ，ＭＳｇ，ＭＳｂとの位置関係について説明する。
【００５３】
素子層２０８の画素配列と回路層２０２の画素回路配列とは同じであっても良いが、回路層２０２の画素回路配列は、素子層２０８の画素配列に合わせて適宜変更することが好ましい。
【００５４】
図４は、素子層２０８における絵素部ＰＳおよび発光素子ＰＳｒ，ＰＳｇ，ＰＳｂの配列を模式的に示す図であり、図３の一部を抽出した図となっている。
【００５５】
図５は、表示部２００の回路層２０２における画素回路ＭＳｒ，ＭＳｇ，ＭＳｂおよび絵素に対応する画素回路群（絵素回路部）ＭＳの配列を例示する模式図であり、有機ＥＬディスプレイの正面側から見た配列状態を示している。なお、図５では、図４で示した絵素部ＰＳおよび発光素子ＰＳｒ，ＰＳｇ，ＰＳｂの配列に対応する絵素回路部ＭＳおよび画素回路ＭＳｒ，ＭＳｇ，ＭＳｂの配列が示されている。また、図５では、絵素回路部ＭＳの輪郭が太破線で、画素回路ＭＳｒ，ＭＳｇ，ＭＳｂの輪郭が破線で示されている。そして、絵素回路部ＭＳおよび画素回路ＭＳｒ，ＭＳｇ，ＭＳｂの配列は、図１７で示したストライプ状の絵素配列ならびに画素配列と同様なものとなっている。
【００５６】
図６は、発光素子ＰＳｒ，ＰＳｇ，ＰＳｂと画素回路ＭＳｒ，ＭＳｇ，ＭＳｂとの位置関係を表示部２００を有機ＥＬディスプレイの正面側から見た模式図である。図６では、実線で示されている図４で示した絵素部ＰＳおよび発光素子ＰＳｒ，ＰＳｇ，ＰＳｂの配列と破線で示されている図５で示した絵素回路部ＭＳおよび画素回路ＭＳｒ，ＭＳｇ，ＭＳｂの配列とが重畳されて示されている。また、画素単位で各発光素子ＰＳｒ，ＰＳｇ，ＰＳｂと各画素回路ＭＳｒ，ＭＳｇ，ＭＳｂとを導通接続するコンタクト部（接続部）２０９の配置についてもハッチングを付した丸印で示されている。
【００５７】
ここでは、図４および図５で示したように、素子層２０８における絵素部ＰＳおよび発光素子ＰＳｒ，ＰＳｇ，ＰＳｂの配列と、回路層２０２における絵素回路部ＭＳおよび画素回路ＭＳｒ，ＭＳｇ，ＭＳｂの配列とは異なる。そこで、図６で示すように、各絵素回路部ＭＳにおいて、Ｒ色の画素回路ＭＳｒに対するコンタクト部２０９の位置と、Ｇ色の画素回路ＭＳｇに対するコンタクト部２０９の位置と、Ｂ色の画素回路ＭＳｂに対するコンタクト部２０９の位置とを相互に異ならせている。このような構成により、回路層２０２の各画素回路ＭＳｒ，ＭＳｇ，ＭＳｂと、素子層２０８の各発光素子ＰＳｒ，ＰＳｇ，ＰＳｂとを一対一対応で導通接続させることができる。
【００５８】
図７は、表示部２００を単色発光させた際の発光パターンを表示部２００の正面から見た状態を示す図である。図７では、図３で示す画素配列において、ＧＢ色の発光素子ＰＳｇ，ＰＳｂを発光させることなく、Ｒ色の発光素子ＰＳｒを発光させた場合の発光パターンが示されており、発光させている発光素子ＰＳｒの画素が白抜きで、発光させていない発光素子ＰＳｇ，ＰＳｂの画素が黒塗りで示されている。
【００５９】
図７で示すように、発光していない領域によって形成される黒線の幅が、単色発光による最も細い線の幅の１／２程度と狭い。当該黒線の幅は、図１７で示したストライプ状の画素配列における黒線の幅が単色発光による最も細い線の幅の２／３程度であることと比較しても、十分狭いものとなっている。つまり、開口率の向上と、画質の向上とが併せて達成される。
【００６０】
図８は、ＲＧＢ３色の発光による縦線と横線とが交差する画像表示例を示す図であり、図８で示すように鮮明に細線を再生することができる。
【００６１】
ところで、蒸着の工程によって有機ＥＬ素子の各画素が形成される場合、各色の画素の形状に合わせた開口が設けられたメタルマスクを順次ずらしながら各色の蒸着工程を行うのが一般的である。そして、図１７で示したストライプ状の画素配列については、同色の画素が縦方向に近接配置されているため、メタルマスクの強度確保の観点から開口どうしの離隔距離（最小線幅）の下限が限定される。このため、当該最小線幅の存在により、縦方向に並ぶ画素どうしの離隔距離が開いてしまい、結果として、開口率の低下を招いてしまう。
【００６２】
これに対して、本発明の実施形態に係る素子層２０８の画素配列では、同色の画素が比較的接近していないため、メタルマスクの最小線幅を大きくとることが可能である。よって、メタルマスクの最小線幅の影響による開口率の低下を解消することができるとともに、メタルマスクの強度確保や変形防止による更なる蒸着精度の向上（すなわち開口率の上昇）にも有効である。
【００６３】
以上のように、本発明の実施形態に係る携帯電話機（すなわち画像表示装置）１０では、表示部２００において、絵素部ＰＳの配列が傾けられつつも、結果的に、絵素部ＰＳおよび各色の発光素子ＰＳｒ，ＰＳｇ，ＰＳｂの配列が正方格子状とされている。このような構成により、各発光素子ＰＳｒ，ＰＳｇ，ＰＳｂの開口率が向上するため、有機ＥＬ素子に印加される電圧を下げることができる。また、各色の画素が縦方向ならびに横方向に沿って真っ直ぐ一列に並んでいるため、画像上における縦方向および横方向に沿った輪郭が凹凸状となることもなく、動画における被写体の動きがぎこちなくなってしまうといった不具合を招くこともない。更には、各色の画素配列において画素間の間隔が狭いため、画質の低下を招く黒線の幅も低減することができる。したがって、画質の低下を招くことなく、開口率の向上による長寿命化を図ることができる。
【００６４】
＜変形例＞
以上、この発明の実施形態について説明したが、この発明は上記説明した内容のものに限定されるものではない。
【００６５】
◎例えば、上記実施形態では、各発光素子ＰＳｒ，ＰＳｇ，ＰＳｂの開口部（画素）の輪郭形状が略長方形であったが、これに限られず、例えば、各発光素子ＰＳｒ，ＰＳｇ，ＰＳｂの開口部（画素）の輪郭形状を略六角形や略五角形とすれば、更に各発光素子ＰＳｒ，ＰＳｇ，ＰＳｂの開口率を向上させることができ、画像表示装置の更なる長寿命化を図ることができる。より厳密には、素子層２０８における有機層２０７の発光する領域の輪郭形状が略六角形や略五角形であればよい。
【００６６】
図９は、各発光素子の開口部（画素）の輪郭形状を六角形とした場合における絵素部（太線で囲まれた部分）および発光素子の開口部（実線で囲まれた部分）の配列を例示する模式図であり、有機ＥＬディスプレイの正面側から見た配列状態を示している。
【００６７】
図９で示す発光素子の配列においては、各発光素子における発光領域の割合、すなわち開口率は、輪郭形状を規定する六角形の内角の大きさによって変化し、六角形の内角が全て１２０度となった場合に、開口率が最大となる。なお、六角形の内角が全て１２０度となった場合には、仮に絵素ピッチが１５０μｍ、蒸着または印刷の精度（すなわち最大誤差）が１５μｍのとき、各発光素子の開口率は最大で０．４３５となる。
【００６８】
図１０は、各発光素子の開口部（画素）の輪郭形状を五角形とした場合における絵素部（太線で囲まれた部分）および発光素子の開口部（実線で囲まれた部分）の配列を例示する模式図であり、有機ＥＬディスプレイの正面側から見た配列状態を示している。
【００６９】
図１０で示すように、各発光素子の開口部の輪郭形状が五角形の場合、仮に絵素ピッチが１５０μｍ、蒸着または印刷の精度（すなわち最大誤差）が１５μｍのとき、各発光素子の開口率は最大で０．４２４となる。よって、このような構成では、図９で示した発光素子の輪郭形状が六角形である場合ほど各発光素子の開口率が向上しないものの、図３で示した発光素子の輪郭形状が長方形である場合よりも各発光素子の開口率が向上する。
【００７０】
◎例えば、上記実施形態では、各絵素部ＰＳが斜め方向に沿って一列に並んだＲＧＢの３つの発光素子ＰＳｒ，ＰＳｇ，ＰＳｂによって形成されたが、これに限られず、例えば、各絵素部がＲＧＢの３つの発光素子ＰＳｒ，ＰＳｇ，ＰＳｂがデルタ状に配列されて形成されるなど、他の異なる発光素子の配列によって形成されていても構わない。
【００７１】
図１１は、表示部の素子層２０８におけるデルタ状の画素配列からなる絵素部（太線で囲まれた部分）ＰＳ２および発光素子ＰＳｒ，ＰＳｇ，ＰＳｂの開口部（実線で囲まれた部分）の配列を例示する模式図であり、有機ＥＬディスプレイの正面側から見た配列状態を示している。図１１で示されている発光素子ＰＳｒ，ＰＳｇ，ＰＳｂの配列は、図３で示したものと同じであるが、各絵素部ＰＳ２を構成するための３つの発光素子ＰＳｒ，ＰＳｇ，ＰＳｂの分け方が異なっている。そして、ここでは、各絵素部ＰＳ２に含まれた２つの発光素子ＰＳｒ，ＰＳｇが斜め方向に沿って配列されている。
【００７２】
つまり、図３で示した上記実施形態では、各絵素部ＰＳに含まれた３つの発光素子ＰＳｒ，ＰＳｇ，ＰＳｂが斜め方向に沿って配列され、図１１で示した構成では、各絵素部ＰＳ２に含まれた２つの発光素子ＰＳｒ，ＰＳｇが斜め方向に沿って配列されている。したがって、各絵素部ＰＳ，ＰＳ２に含まれる少なくとも２以上の発光素子が斜め方向に沿って配列されていると言える。
【００７３】
ところで、図３で示したように各絵素部ＰＳが斜め方向に沿って一列に並んだ３つの発光素子ＰＳｒ，ＰＳｇ，ＰＳｂによって形成されている場合と比較して、図１１で示したように各絵素部ＰＳ２が３つの発光素子ＰＳｒ，ＰＳｇ，ＰＳｂがデルタ状に配列されて形成されている場合の方が、１つの絵素部を構成する複数の発光素子がより密集して配置されている。よって、１つの絵素部の形状がより正方形に近づくため、画像における１点の色を１つの絵素部の発光によって、より忠実に１つの点の色として再現することができる。すなわち、画質の向上を更に図ることが可能となる。
【００７４】
なお、このような構成においても、上述したように、各発光素子ＰＳｒ，ＰＳｇ，ＰＳｂの開口部（画素）の輪郭形状を略六角形や略五角形とすると、発光素子ＰＳｒ，ＰＳｇ，ＰＳｂの開口率が向上する。
【００７５】
◎また、上記実施形態では、素子層２０８において、ＲＧＢの３色の光を画素単位で発する発光素子ＰＳｒ，ＰＳｇ，ＰＳｂが多数配列されていたが、これに限られず、例えば、橙色と青色の２色の光を画素単位で発する発光素子が多数配列されても良いし、赤、緑、青、白の４色の光を画素単位で発する発光素子が多数配列されても良い。つまり、本発明は、２色以上の発光素子が多数配列され、各色の発光素子を含む絵素部が多数配列されているものに適用することができる。
【００７６】
図１２は、表示部２００の素子層２０８における絵素部Ｐ３および赤（Ｒ）緑（Ｇ）青（Ｂ）白（Ｗ）の発光素子Ｐｒ，Ｐｇ，Ｐｂ，Ｐｗの開口部（画素）の配列を例示する模式図であり、有機ＥＬディスプレイの正面側から見た配列状態を示している。
【００７７】
ここでは、図１２で示すように、素子層２０８には、ＲＧＢＷの４色の光を画素単位で発する発光素子Ｐｒ，Ｐｇ，Ｐｂ，Ｐｗが多数配列されている。
【００７８】
各発光素子Ｐｒ，Ｐｇ，Ｐｂ，Ｐｗは、それぞれ輪郭が略長方形の開口部（画素）を有しており、ＲＧＷＢ色の発光素子Ｐｒ，Ｐｇ，Ｐｗ，Ｐｂは、この順番で、有機ＥＬディスプレイの長方形の輪郭の所定の一辺（図１２の横方向に沿った辺）に対して所定角度（図１２では時計回りに４５度）だけ傾けられた所定の方向（図１２では左下方から右上方へ向けた方向、すなわち「斜め方向」）に沿って列を成すように配列されている。そして、斜め方向に沿ったＲＧＷＢ順の画素列が、図１２の左上方から右下方に向けて空間順次に敷き詰められるように並べられている。
【００７９】
また、斜め方向に沿ってＲＧＷＢの順で一列に並んだ４つの発光素子Ｐｒ，Ｐｇ，Ｐｗ，Ｐｂによって１つの絵素部Ｐ３（図１２の太線で囲まれた部分）が形成されている。そして、絵素部Ｐ３は、斜め方向に沿って空間順次に並べられ、更に斜め方向に沿った絵素部の列が、図１２の左上方から右下方に向けて空間順次に敷き詰められるように並べられている。
【００８０】
このように、絵素部Ｐ３の列ならびに画素列が有機ＥＬディスプレイの長方形の輪郭の所定の一辺に対して所定角度だけ傾けられているが、複数の絵素部Ｐ３の重心の位置は、正方格子状に配列されている。また、複数の発光素子Ｐｒ，Ｐｇ，Ｐｗ，Ｐｂに含まれている同色の発光素子の重心の位置も正方格子状に配列されている。つまり、有機ＥＬディスプレイの長方形の輪郭の縦方向および横方向と平行な線上に沿って、複数の絵素部Ｐ３の重心の位置、および同色の発光素子の重心の位置が各々正方格子状に配列されている。
【００８１】
◎また、上記実施形態では、素子層２０８において絵素部ＰＳが縦横比が１：１の格子状（正方格子状）に配列されたが、これに限られない。例えば、絵素部の縦方向における配列周期（縦方向絵素ピッチ）ａｙと横方向における配列周期（横方向絵素ピッチ）ａｘとの比が１：１．１である場合など、絵素部が縦横比が１：１以外の格子状（直方格子状）に配置されても良い。
【００８２】
但し、画像表示装置１０で表示される画像が縦または横方向に伸びた画像とならないように、画像表示装置で再生すべき画像における絵素の配列周期が縦方向と横方向とで異なる場合に、その配列周期に合わせて横方向絵素ピッチａｘと縦方向絵素ピッチａｙとを調整するような構成が好ましい。すなわち、画像を構成する絵素の横方向における配列周期（横方向絵素ピッチ）ａｘと縦方向における配列周期（縦方向絵素ピッチ）ａｙとが異なる場合にも本発明を最適化することができる。
【００８３】
図１３は、縦方向絵素ピッチａｙと横方向絵素ピッチａｘとが異なる場合における絵素部Ｐ４および発光素子ＰＷｒ，ＰＷｇ，ＰＷｂの開口部（画素）の配列を示す模式図であり、有機ＥＬディスプレイの正面側から見た配列状態を示している。図１３で示す絵素部Ｐ４および画素配列は、図３と比較して「所定角度」が４５度から若干だけ小さな角度になっている点が異なるが、その他の構成については、ほぼ同様であるため、ここでは説明を省略する。
【００８４】
なお、既存のＮＴＳＣ信号に係る画像については、縦方向絵素ピッチと横方向絵素ピッチとの比が１：１．１程度であり、上記構成を採用することが好ましい。
【００８５】
◎また、上記実施形態では、回路層２０２における絵素回路部ＭＳおよび画素回路ＭＳｒ，ＭＳｇ，ＭＳｂの配列が、図１７で示したストライプ状の絵素配列ならびに画素配列と同様なものを挙げて説明したが、これに限られない。例えば、各絵素回路部を構成する画素回路の配列、ならびに複数の絵素回路部の配列が種々異なるものであっても良い。以下、一例を挙げて説明する。
【００８６】
図１４は、回路層における画素回路Ｍ２ｒ，Ｍ２ｇ，Ｍ２ｂおよび絵素に対応する画素回路群（絵素回路部）Ｍ２の配列を例示する模式図であり、有機ＥＬディスプレイの正面側から見た配列状態を示している。なお、図１４では、図４で示した絵素部ＰＳおよび発光素子ＰＳｒ，ＰＳｇ，ＰＳｂの配列に対応する絵素回路部Ｍ２および画素回路Ｍ２ｒ，Ｍ２ｇ，Ｍ２ｂの配列が示されている。
【００８７】
図１４で示す回路層では、それぞれ矩形状の３つの画素回路Ｍ２ｒ，Ｍ２ｇ，Ｍ２ｂがＬ字状に配列されてＬ型の絵素回路部Ｍ２が形成されている。そして、縦方向に沿って、同じ方向を向いた複数の絵素回路部Ｍ２が隣接配置されるとともに、横方向に沿って、相互に隣接する絵素回路部Ｍ２の向きが上下逆になるように複数の絵素回路部Ｍ２が隣接配置されている。
【００８８】
図１５は、発光素子ＰＳｒ，ＰＳｇ，ＰＳｂと画素回路Ｍ２ｒ，Ｍ２ｇ，Ｍ２ｂとの位置関係を例示する模式図であり、有機ＥＬディスプレイの正面側から見た配列状態を示している。図１５では、実線で示されている図４で示した絵素部ＰＳおよび発光素子ＰＳｒ，ＰＳｇ，ＰＳｂの配列と破線で示されている図１４で示した絵素回路部Ｍ２および画素回路Ｍ２ｒ，Ｍ２ｇ，Ｍ２ｂの配列とが重畳されて示されている。また、画素単位で各発光素子ＰＳｒ，ＰＳｇ，ＰＳｂと各画素回路Ｍ２ｒ，Ｍ２ｇ，Ｍ２ｂとを導通接続するコンタクト部（接続部）２０９の配置についてもハッチングを付した丸印で示されている。
【００８９】
図１５で示すように、各絵素回路部Ｍ２において、Ｒ色の画素回路Ｍ２ｒに対するコンタクト部２０９の位置と、Ｇ色の画素回路Ｍ２ｇに対するコンタクト部２０９の位置と、Ｂ色の画素回路Ｍ２ｂに対するコンタクト部２０９の位置とを相互に異ならせることで、回路層２０２の各画素回路Ｍ２ｒ，Ｍ２ｇ，Ｍ２ｂと、素子層２０８の各発光素子ＰＳｒ，ＰＳｇ，ＰＳｂとを一対一対応で導通接続させることができる。
【００９０】
◎また、上記実施形態では、画像表示装置の一例として携帯電話機１０を挙げて説明したが、図１６に示すように、例えば、ノート型のパーソナルコンピュータ（パソコン）１０Ａなど、表示部２００Ａを備えた各種画像表示装置一般に対しても本発明を適用することができる。
【００９１】
◎また、上記実施形態では、表示部２００，２００Ａが有機ＥＬディスプレイを備えて構成されるものとして説明したが、これに限られず、例えば、回路層と発光層とが適宜配置された種々のディスプレイを備えて構成されても良い。
【００９２】
◎なお、上記実施形態ならびに変形例については、矛盾が生じない限り適宜組み合わせても良い。
【図面の簡単な説明】
【００９３】
【図１】本発明の実施形態に係る画像表示システムの概略構成を示す図である。
【図２】有機ＥＬディスプレイの断面構造を例示する断面図である。
【図３】素子層における絵素部および画素の配列を示す模式図である。
【図４】素子層における絵素部および画素の配列を示す模式図である。
【図５】回路層における絵素回路部および画素回路の配列を示す模式図である。
【図６】発光素子と画素回路との位置関係を模式的に示す図である。
【図７】単色発光させた際の発光パターンを示す図である。
【図８】ＲＧＢ３色の発光による縦横の交差線の表示例を示す図である。
【図９】六角形の開口部に係る絵素部および画素の配列を示す模式図である。
【図１０】五角形の開口部に係る絵素部および画素の配列を示す模式図である。
【図１１】デルタ状の画素配列からなる絵素部の配列を示す模式図である。
【図１２】素子層におけるＲＧＢＷ４色の画素配列を示す模式図である。
【図１３】縦横の配列ピッチが異なる絵素部および画素の配列を示す模式図である。
【図１４】回路層における絵素回路部および画素回路の配列を示す模式図である。
【図１５】発光素子と画素回路との位置関係を模式的に示す図である。
【図１６】変形例に係る画像表示装置の概略構成を示す図である。
【図１７】一般的なストライプ状の画素配列を示す図である。
【図１８】特許文献１に係る画素配列を示す図である。
【図１９】特許文献２に係る画素配列を示す図である。
【図２０】特許文献１に係る画素配列における単色発光状態を示す図である。
【図２１】特許文献２に係る画素配列における単色発光状態を示す図である。
【符号の説明】
【００９４】
１  画像表示システム
１０  携帯電話機（画像表示装置）
１０Ａ  ノート型パソコン（画像表示装置）
２００，２００Ａ  表示部
２０２  回路層
２０８  素子層
Ｐ３，Ｐ４，ＰＳ，ＰＳ２  絵素部
Ｐｒ，Ｐｇ，Ｐｂ，Ｐｗ，ＰＳｒ，ＰＳｇ，ＰＳｂ，ＰＷｒ，ＰＷｇ，ＰＷｂ  発光素子
【図１】
2008135333.tif 000003
【図２】
2008135333.tif 000004
【図３】
2008135333.tif 000005
【図４】
2008135333.tif 000006
【図５】
2008135333.tif 000007
【図６】
2008135333.tif 000008
【図７】
2008135333.tif 000009
【図８】
2008135333.tif 000010
【図９】
2008135333.tif 000011
【図１０】
2008135333.tif 000012
【図１１】
2008135333.tif 000013
【図１２】
2008135333.tif 000014
【図１３】
2008135333.tif 000015
【図１４】
2008135333.tif 000016
【図１５】
2008135333.tif 000017
【図１６】
2008135333.tif 000018
【図１７】
2008135333.tif 000019
【図１８】
2008135333.tif 000020
【図１９】
2008135333.tif 000021
【図２０】
2008135333.tif 000022
【図２１】
2008135333.tif 000023